(57)【要約】  【課題】同一とみなせるコンテンツの重複記録を防止しつつ、品質の良いコンテンツが記録媒体に残るようにしたコンテンツ記録装置を提供する。  【解決手段】記録指定された光ディスク１に記録されている楽曲の属性情報と、ＨＤＤ１０５内に記録されている楽曲の属性情報とを比較した結果（Ｓ６）、楽曲名が一致するものがあれば（Ｓ７）、楽曲名が一致したものの音質を比較する（Ｓ８）。光ディスク１に記録されている楽曲の音質の方が良ければ（Ｓ９）、ＨＤＤ１０５内に記録されているものと置き換えて記録することを決定し（Ｓ１０）、そうでない場合は記録しないことを決定する（Ｓ１１）。【選択図】    図２
2006185575.tif 000002
【特許請求の範囲】
【請求項１】
記録媒体に記録すべき第１コンテンツを特定する情報と第１コンテンツの品質に係る情報とを含む第１コンテンツの属性情報を取得する第１取得手段と、
前記記録媒体に記録されている第２コンテンツを特定する情報と第２コンテンツの品質に係る情報とを含む第２コンテンツの属性情報を取得する第２取得手段と、
前記第１取得手段により取得された第１コンテンツの属性情報と、前記第２取得手段により取得された第２コンテンツの属性情報とを比較する比較手段と、
比較した結果、第１コンテンツを特定する情報と第２コンテンツを特定する情報とが一致しない場合は、第１コンテンツを前記記録媒体に記録する第１の決定を行い、第１コンテンツを特定する情報と第２コンテンツを特定する情報とが一致し、且つ、第１コンテンツの品質の方が第２コンテンツの品質より良い場合は、第２コンテンツと置き換えて第１コンテンツを前記記録媒体に記録する第２の決定を行い、第１コンテンツを特定する情報と第２コンテンツを特定する情報とが一致し、且つ、第１コンテンツの品質の方が第２コンテンツの品質より悪い場合は、第１コンテンツを記録しない第３の決定を行う決定手段とを備える
ことを特徴とするコンテンツ記録装置。
【請求項２】
前記属性情報には、更に、コンテンツのデータサイズを示すサイズ情報が含まれ、
前記比較手段は、前記第１コンテンツを特定する情報と前記第２コンテンツを特定する情報とが一致し、且つ、第１コンテンツと第２コンテンツの品質が同等である場合には、第１コンテンツのサイズ情報と第２コンテンツのサイズ情報とを比較し、
前記決定手段は、前記比較手段により属性情報が比較された結果、第１コンテンツを特定する情報と第２コンテンツを特定する情報とが一致し、且つ、第１コンテンツの品質と第２コンテンツの品質とが同等であり、且つ、第１コンテンツのデータサイズの方が第２コンテンツのデータサイズより小さい場合は、前記第２の決定を行い、第１コンテンツを特定する情報と第２コンテンツを特定する情報とが一致し、且つ、第１コンテンツの品質と第２コンテンツの品質とが同等であり、且つ、第１コンテンツのデータサイズの方が第２コンテンツのデータサイズより大きい場合は、前記第３の決定を行う
ことを特徴とする請求項１に記載のコンテンツ記録装置。
【請求項３】
前記決定手段により、前記第１の決定又は前記第２の決定がなされた場合は、前記第１コンテンツを対応付けた再生リストを作成し、前記第３の決定がなされた場合は、前記第２コンテンツを対応付けた再生リストを作成する再生リスト作成手段を更に備えることを特徴とする請求項１又は請求項２に記載のコンテンツ記録装置。
【請求項４】
前記再生リストを、当該再生リストに対応付けられているコンテンツが属するグループを示すグループ情報と対応付けて記憶する記憶手段と、
前記記憶手段に記憶されている再生リストの指定を受け付ける受付手段とを更に備え、
前記第１取得手段は、受け付けた指定に係る再生リストと対応付けられているグループ情報に基づいて、前記第１コンテンツの属性情報を取得し、
前記再生リスト作成手段は、前記決定手段により、前記第１の決定又は前記第２の決定がなされた場合は、前記第１コンテンツを前記受付手段により受け付けた指定に係る再生リストに対応付けてリスト更新する
ことを特徴とする請求項３に記載のコンテンツ記録装置。
【請求項５】
文字情報の入力を受け付ける受付手段を更に備え、
前記第１取得手段は、受け付けた文字情報と関連する前記第１コンテンツの属性情報を取得する
ことを特徴とする請求項１に記載のコンテンツ記録装置。
【請求項６】
前記第１コンテンツは、音声データを含む楽曲であり、
前記決定手段により、第１の決定又は第２の決定がなされた場合に、前記第１コンテンツを取得する取得手段と、
取得された第１コンテンツの音声データを解析して、第１コンテンツのジャンルを推定する推定手段と、
第１コンテンツと、前記推定手段により推定されたジャンルとを対応付けて記録する記録手段とを更に備える
ことを特徴とする請求項１に記載のコンテンツ記録装置。
【請求項７】
前記属性情報には、コンテンツの名前を示すタイトル情報が含まれ、
前記決定手段は、前記比較手段による比較の結果、第１コンテンツ及び第２コンテンツそれぞれのタイトル情報の全部が一致しない場合は、前記第１の決定を行い、各タイトル情報の一部又は全部が一致し、且つ第１コンテンツの方が品質が良い場合は、前記第２の決定を行い、各タイトル情報の一部又は全部が一致し且つ第２コンテンツの方が品質が良い場合は、前記第３の決定を行う
ことを特徴とする請求項１に記載のコンテンツ記録装置。
【請求項８】
前記コンテンツ記録装置は、更に、
前記比較手段による比較の結果、第１コンテンツを特定する情報と第２コンテンツを特定する情報とが一致した場合に、前記第２コンテンツを構成するデータに欠陥がないかどうかを判断する検査手段を備え、
前記決定手段は、前記検査手段により否定的な判断がなされた場合は、前記第２の決定を行う
ことを特徴とする請求項１に記載のコンテンツ記録装置。
【請求項９】
前記検査手段は、前記比較手段による比較の結果、第１コンテンツを特定する情報と第２コンテンツを特定する情報とが一致した場合に、前記第２コンテンツを構成するバイナリデータのヘッダに含まれる情報が正常であるか否かを判断することを特徴とする請求項８に記載のコンテンツ記録装置。
【請求項１０】
前記コンテンツ記録装置は、更に、
前記比較手段による比較の結果、第１コンテンツを特定する情報と第２コンテンツを特定する情報とが一致した場合に、前記第２コンテンツが記録されている前記記録媒体の物理アドレスが正常であるか否かを判断する検査手段を備え、
前記決定手段は、前記検査手段により否定的な判断がなされた場合は、前記第２の決定を行う
ことを特徴とする請求項１に記載のコンテンツ記録装置。
【請求項１１】
記録媒体に記録すべき第１コンテンツを選択するために用いられる、当該第１コンテンツの属性情報の一部を含むフィルタ情報の指定を受け付ける受付手段を更に備え、
前記第１取得手段は、受け付けた指定に係るフィルタ情報を含む前記第１コンテンツの属性情報を取得する
ことを特徴とする請求項１に記載のコンテンツ記録装置。
【請求項１２】
記録媒体に記録すべき第１コンテンツを選択するために用いられる、当該第１コンテンツの属性情報を含まないフィルタ情報の指定を受け付ける受付手段を更に備え、
前記第１取得手段は、受け付けた指定に係るフィルタ情報を含まない前記第１コンテンツの属性情報を取得する
ことを特徴とする請求項１に記載のコンテンツ記録装置。
【請求項１３】
第１記録媒体に記録されている第１コンテンツを、第２記録媒体に記録する指示を受け付ける受付手段と、
前記受付手段により受け付けた指示に係る第１コンテンツを特定する情報と、第１コンテンツの品質に係る情報とを含む属性情報を取得する第１取得手段と、
第３記録媒体に記録されている第２コンテンツを特定する情報と、第２コンテンツの品質に係る情報とを含む属性情報とを取得する第２取得手段と、
前記第１取得手段により取得された第１コンテンツの属性情報と、前記第２取得手段により取得された第２コンテンツの属性情報とを比較する比較手段と、
比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合では、第１コンテンツを第２記録媒体に記録する第１の決定を行い、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う決定手段とを備える
ことを特徴とするコンテンツ記録装置。
【請求項１４】
前記コンテンツ記録装置は、更に、
前記比較手段は、前記第１コンテンツを特定する情報と前記第２コンテンツを特定する情報とが一致し、且つ、第１コンテンツの品質と第２コンテンツの品質とが同等である場合には、前記第１記録媒体から第１コンテンツを読み出す速度と前記第３記録媒体から第２コンテンツを読み出す速度とを比較し、
前記決定手段は、前記比較手段により属性情報が比較された結果、第１コンテンツを特定する情報と第２コンテンツを特定する情報とが一致し、且つ、第１コンテンツと第２コンテンツの品質とが同等であり、且つ、第１記録媒体から第１コンテンツを読み出す速度の方が、第３記録媒体から第２コンテンツを読み出す速度より速い場合は、前記第１の決定を行い、第１コンテンツを特定する情報と第２コンテンツを特定する情報とが一致し、且つ、第１コンテンツの品質と第２コンテンツの品質とが同等であり、且つ、第１記録媒体から第１コンテンツを読み出す速度の方が、第３記録媒体から第２コンテンツを読み出す速度より遅い場合は、前記第２の決定を行う
ことを特徴とする請求項１３に記載のコンテンツ記録装置。
【請求項１５】
コンテンツ記録装置に用いられるコンテンツ記録方法であって、
記録媒体に記録すべき第１コンテンツを特定する情報と第１コンテンツの品質に係る情報である品質情報とを含む第１コンテンツの属性情報を取得する第１取得ステップと、
前記記録媒体に記録されている第２コンテンツを特定する情報と第２コンテンツの品質情報とを含む第２コンテンツの属性情報を取得する第２取得ステップと、
前記第１取得ステップにおいて取得された第１コンテンツの属性情報と、前記第２取得ステップにおいて取得された第２コンテンツの属性情報とを比較する比較ステップと、
比較した結果、第１コンテンツを特定する情報と第２コンテンツを特定する情報とが一致しない場合は、第１コンテンツを前記記録媒体に記録する第１の決定を行う第１決定ステップと、
比較した結果、第１コンテンツを特定する情報と第２コンテンツを特定する情報とが一致し、且つ、第１コンテンツの品質の方が第２コンテンツの品質より良い場合は、第２コンテンツと置き換えて第１コンテンツを前記記録媒体に記録する第２の決定を行う第２決定ステップと、
比較した結果、第１コンテンツを特定する情報と第２コンテンツを特定する情報とが一致し、且つ、第１コンテンツの品質の方が第２コンテンツの品質より悪い場合は、第１コンテンツを記録しない第３の決定を行う第３決定ステップとを含む
ことを特徴とするコンテンツ記録方法。
【請求項１６】
コンテンツを記録媒体に記録するか否かに係る決定処理をコンピュータに実行させるプログラムであって、
前記決定処理は、
記録媒体に記録すべき第１コンテンツを特定する情報と第１コンテンツの品質に係る情報である品質情報とを含む第１コンテンツの属性情報を取得する第１取得ステップと、
前記記録媒体に記録されている第２コンテンツを特定する情報と第２コンテンツの品質情報とを含む第２コンテンツの属性情報を取得する第２取得ステップと、
前記第１取得ステップにおいて取得された第１コンテンツの属性情報と、前記第２取得ステップにおいて取得された第２コンテンツの属性情報とを比較する比較ステップと、
比較した結果、第１コンテンツを特定する情報と第２コンテンツを特定する情報とが一致しない場合は、第１コンテンツを前記記録媒体に記録する第１の決定を行う第１決定ステップと、
比較した結果、第１コンテンツを特定する情報と第２コンテンツを特定する情報とが一致し、且つ、第１コンテンツの品質の方が第２コンテンツの品質より良い場合は、第２コンテンツと置き換えて第１コンテンツを前記記録媒体に記録する第２の決定を行う第２決定ステップと、
比較した結果、第１コンテンツを特定する情報と第２コンテンツを特定する情報とが一致し、且つ、第１コンテンツの品質の方が第２コンテンツの品質より悪い場合は、第１コンテンツを記録しない第３の決定を行う第３決定ステップとを含む
ことを特徴とするプログラム。
【請求項１７】
コンテンツを記録媒体に記録するか否かに係る決定処理をコンピュータに実行させるプログラムを記憶した記憶媒体であって、
前記決定処理は、
記録媒体に記録すべき第１コンテンツを特定する情報と第１コンテンツの品質に係る情報である品質情報とを含む第１コンテンツの属性情報を取得する第１取得ステップと、
前記記録媒体に記録されている第２コンテンツを特定する情報と第２コンテンツの品質情報とを含む第２コンテンツの属性情報を取得する第２取得ステップと、
前記第１取得ステップにおいて取得された第１コンテンツの属性情報と、前記第２取得ステップにおいて取得された第２コンテンツの属性情報とを比較する比較ステップと、
比較した結果、第１コンテンツを特定する情報と第２コンテンツを特定する情報とが一致しない場合は、第１コンテンツを前記記録媒体に記録する第１の決定を行う第１決定ステップと、
比較した結果、第１コンテンツを特定する情報と第２コンテンツを特定する情報とが一致し、且つ、第１コンテンツの品質の方が第２コンテンツの品質より良い場合は、第２コンテンツと置き換えて第１コンテンツを前記記録媒体に記録する第２の決定を行う第２決定ステップと、
比較した結果、第１コンテンツを特定する情報と第２コンテンツを特定する情報とが一致し、且つ、第１コンテンツの品質の方が第２コンテンツの品質より悪い場合は、第１コンテンツを記録しない第３の決定を行う第３決定ステップとを含む
ことを特徴とする記憶媒体。
【請求項１８】
コンテンツ記録装置に用いられるコンテンツ記録方法であって、
第１記録媒体に記録されている第１コンテンツを、第２記録媒体に記録する指示を受け付ける受付ステップと、
前記受付ステップにおいて受け付けた指示に係る第１コンテンツを特定する情報と、第１コンテンツの品質に係る情報とを含む属性情報を取得する第１取得ステップと、
第３記録媒体に記録されている第２コンテンツを特定する情報と、第２コンテンツの品質に係る情報とを含む属性情報とを取得する第２取得ステップと、
前記第１取得ステップにおいて取得された第１コンテンツの属性情報と、前記第２取得ステップにおいて取得された第２コンテンツの属性情報とを比較する比較ステップと、
比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合には、第１コンテンツを第２記録媒体に記録する第１の決定を行う第１決定ステップと、
比較した結果、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う第２決定ステップとを含む
ことを特徴とするコンテンツ記録方法。
【請求項１９】
コンテンツを記録媒体に記録する処理をコンピュータに実行させるプログラムであって、
前記処理は、
第１記録媒体に記録されている第１コンテンツを、第２記録媒体に記録する指示を受け付ける受付ステップと、
前記受付ステップにおいて受け付けた指示に係る第１コンテンツを特定する情報と、第１コンテンツの品質に係る情報とを含む属性情報を取得する第１取得ステップと、
第３記録媒体に記録されている第２コンテンツを特定する情報と、第２コンテンツの品質に係る情報とを含む属性情報とを取得する第２取得ステップと、
前記第１取得ステップにおいて取得された第１コンテンツの属性情報と、前記第２取得ステップにおいて取得された第２コンテンツの属性情報とを比較する比較ステップと、
比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合には、第１コンテンツを第２記録媒体に記録する第１の決定を行う第１決定ステップと、
比較した結果、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う第２決定ステップとを含む
ことを特徴とするプログラム。
【請求項２０】
コンテンツを記録媒体に記録する処理をコンピュータに実行させるプログラムを記憶した記憶媒体であって、
前記処理は、
第１記録媒体に記録されている第１コンテンツを、第２記録媒体に記録する指示を受け付ける受付ステップと、
前記受付ステップにおいて受け付けた指示に係る第１コンテンツを特定する情報と、第１コンテンツの品質に係る情報とを含む属性情報を取得する第１取得ステップと、
第３記録媒体に記録されている第２コンテンツを特定する情報と、第２コンテンツの品質に係る情報とを含む属性情報とを取得する第２取得ステップと、
前記第１取得ステップにおいて取得された第１コンテンツの属性情報と、前記第２取得ステップにおいて取得された第２コンテンツの属性情報とを比較する比較ステップと、
比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合には、第１コンテンツを第２記録媒体に記録する第１の決定を行う第１決定ステップと、
比較した結果、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う第２決定ステップとを含む
ことを特徴とする記憶媒体。
【発明の詳細な説明】
【技術分野】
【０００１】
本発明は、コンテンツを記録媒体に記録するコンテンツ記録装置に関し、特に記録媒体に記録するコンテンツの品質を向上させる技術に関する。
【背景技術】
【０００２】
現在、様々なメディア（例えば、可搬性のある光ディスクや、メモリーカード、ネットワーク等）から各種コンテンツ（例えば、番組、ゲーム、音楽等）を取得して、ハードディスクやメモリ等の記録媒体に記録する機能を備えた電子機器（例えば、パソコン、ＡＶ機器、携帯端末等）が普及している。
上述の電子機器を用いれば、容易にコンテンツを取得し、そのコンテンツを記録媒体に記録することができるので、頻繁にコンテンツの記録が行われることが考えられる。
【０００３】
その結果、記録媒体に同じデータが重複記録されるといった、無駄な記録が生じることが考えられる。
このような無駄な記録が生じないようにするために、下記の特許文献１には、同一とみなせるコンテンツの重複記録を防止する情報再生記録装置が開示されている。
例えば、光ディスクに記録されている「ｍｕｓｉｃ１」、「ｍｕｓｉｃ２」という名前の２つの楽曲を、上記情報再生記録装置内のハードディスクに記録する場合、情報再生記録装置は、その楽曲名を含む属性情報が、ハードディスクに既に記録されているかどうかを確認する。
【０００４】
確認した結果、既に楽曲「ｍｕｓｉｃ１」が記録されていれば、光ディスクに記録されている「ｍｕｓｉｃ１」を構成する楽曲データをハードディスクに記録せず、「ｍｕｓｉｃ２」を構成する楽曲データのみを光ディスクから読み出してハードディスクに記録する。
【特許文献１】特開２００４−７１０６２号公報
【発明の開示】
【発明が解決しようとする課題】
【０００５】
ところで、デジタルデータとして記録されている楽曲の音質は、データの圧縮方式やビットレートに左右される為、光ディスクに記録されている「ｍｕｓｉｃ１」を構成する楽曲データの方が、ハードディスクに記録されている同一楽曲より音質が良い場合がある。
しかし、上記の情報再生記録装置を用いれば、音質の良し悪しに関わらず、ハードディスクに楽曲「ｍｕｓｉｃ１」が既に記録されていると、光ディスクに記録されている楽曲「ｍｕｓｉｃ１」の楽曲データをハードディスクに記録しないので、光ディスクに記録されている楽曲データの方が音質が良い場合はユーザにとってデメリットとなっていた。
【０００６】
そこで、本発明は、同一とみなせるコンテンツの重複記録を防止しつつ、品質の良いコンテンツを記録媒体に残すようにしたコンテンツ記録装置及び当該装置に関する諸技術を提供することを第１の目的とする。
また、同一とみなせるコンテンツが複数の記録媒体に存在する場合、品質の良いコンテンツが記録されている記録媒体から当該コンテンツを読み出して、記録先の記録媒体に記録するようにしたコンテンツ記録装置及び当該装置に関する諸技術を提供することを第２の目的とする。
【課題を解決するための手段】
【０００７】
上記第１の目的を達成するために、本発明に係るコンテンツ記録装置は、記録媒体に記録すべき第１コンテンツを特定する情報と第１コンテンツの品質に係る情報とを含む第１コンテンツの属性情報を取得する第１取得手段と、前記記録媒体に記録されている第２コンテンツを特定する情報と第２コンテンツの品質に係る情報とを含む第２コンテンツの属性情報を取得する第２取得手段と、前記第１取得手段により取得された第１コンテンツの属性情報と、前記第２取得手段により取得された第２コンテンツの属性情報とを比較する比較手段と、比較した結果、第１コンテンツを特定する情報と第２コンテンツを特定する情報とが一致しない場合は、第１コンテンツを前記記録媒体に記録する第１の決定を行い、第１コンテンツを特定する情報と第２コンテンツを特定する情報とが一致し、且つ、第１コンテンツの品質の方が第２コンテンツの品質より良い場合は、第２コンテンツと置き換えて第１コンテンツを前記記録媒体に記録する第２の決定を行い、第１コンテンツを特定する情報と第２コンテンツを特定する情報とが一致し、且つ、第１コンテンツの品質の方が第２コンテンツの品質より悪い場合は、第１コンテンツを記録しない第３の決定を行う決定手段とを備えることを特徴とする。
【０００８】
また、第１の目的を達成する本発明に係るコンテンツ記録方法は、記録媒体に記録すべき第１コンテンツを特定する情報と第１コンテンツの品質に係る情報である品質情報とを含む第１コンテンツの属性情報を取得する第１取得ステップと、前記記録媒体に記録されている第２コンテンツを特定する情報と第２コンテンツの品質情報とを含む第２コンテンツの属性情報を取得する第２取得ステップと、前記第１取得ステップにおいて取得された第１コンテンツの属性情報と、前記第２取得ステップにおいて取得された第２コンテンツの属性情報とを比較する比較ステップと、比較した結果、第１コンテンツを特定する情報と第２コンテンツを特定する情報とが一致しない場合は、第１コンテンツを前記記録媒体に記録する第１の決定を行う第１決定ステップと、比較した結果、第１コンテンツを特定する情報と第２コンテンツを特定する情報とが一致し、且つ、第１コンテンツの品質の方が第２コンテンツの品質より良い場合は、第２コンテンツと置き換えて第１コンテンツを前記記録媒体に記録する第２の決定を行う第２決定ステップと、比較した結果、第１コンテンツを特定する情報と第２コンテンツを特定する情報とが一致し、且つ、第１コンテンツの品質の方が第２コンテンツの品質より悪い場合は、第１コンテンツを記録しない第３の決定を行う第３決定ステップとを含むことを特徴とする。
【０００９】
また、第１の目的を達成する本発明に係るプログラムは、コンテンツを記録媒体に記録するか否かに係る決定処理をコンピュータに実行させるプログラムであって、前記決定処理は、記録媒体に記録すべき第１コンテンツを特定する情報と第１コンテンツの品質に係る情報である品質情報とを含む第１コンテンツの属性情報を取得する第１取得ステップと、前記記録媒体に記録されている第２コンテンツを特定する情報と第２コンテンツの品質情報とを含む第２コンテンツの属性情報を取得する第２取得ステップと、前記第１取得ステップにおいて取得された第１コンテンツの属性情報と、前記第２取得ステップにおいて取得された第２コンテンツの属性情報とを比較する比較ステップと、比較した結果、第１コンテンツを特定する情報と第２コンテンツを特定する情報とが一致しない場合は、第１コンテンツを前記記録媒体に記録する第１の決定を行う第１決定ステップと、比較した結果、第１コンテンツを特定する情報と第２コンテンツを特定する情報とが一致し、且つ、第１コンテンツの品質の方が第２コンテンツの品質より良い場合は、第２コンテンツと置き換えて第１コンテンツを前記記録媒体に記録する第２の決定を行う第２決定ステップと、比較した結果、第１コンテンツを特定する情報と第２コンテンツを特定する情報とが一致し、且つ、第１コンテンツの品質の方が第２コンテンツの品質より悪い場合は、第１コンテンツを記録しない第３の決定を行う第３決定ステップとを含むことを特徴とする。
【００１０】
また、第１の目的を達成する本発明に係る記録媒体は、前記プログラムを記憶した記憶媒体である。
また、第２の目的を達成する本発明に係るコンテンツ記録装置は、第１記録媒体に記録されている第１コンテンツを、第２記録媒体に記録する指示を受け付ける受付手段と、前記受付手段により受け付けた指示に係る第１コンテンツを特定する情報と、第１コンテンツの品質に係る情報とを含む属性情報を取得する第１取得手段と、第３記録媒体に記録されている第２コンテンツを特定する情報と、第２コンテンツの品質に係る情報とを含む属性情報とを取得する第２取得手段と、前記第１取得手段により取得された第１コンテンツの属性情報と、前記第２取得手段により取得された第２コンテンツの属性情報とを比較する比較手段と、比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合では、第１コンテンツを第２記録媒体に記録する第１の決定を行い、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う決定手段とを備えることを特徴とする。
【００１１】
また、第２の目的を達成する本発明に係るコンテンツ記録方法は、第１記録媒体に記録されている第１コンテンツを、第２記録媒体に記録する指示を受け付ける受付ステップと、
前記受付ステップにおいて受け付けた指示に係る第１コンテンツを特定する情報と、第１コンテンツの品質に係る情報とを含む属性情報を取得する第１取得ステップと、第３記録媒体に記録されている第２コンテンツを特定する情報と、第２コンテンツの品質に係る情報とを含む属性情報とを取得する第２取得ステップと、前記第１取得ステップにおいて取得された第１コンテンツの属性情報と、前記第２取得ステップにおいて取得された第２コンテンツの属性情報とを比較する比較ステップと、比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合には、第１コンテンツを第２記録媒体に記録する第１の決定を行う第１決定ステップと、比較した結果、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う第２決定ステップとを含むことを特徴とする。
【００１２】
また、第２の目的を達成する本発明に係るプログラムは、コンテンツを記録媒体に記録する処理をコンピュータに実行させるプログラムであって、前記処理は、第１記録媒体に記録されている第１コンテンツを、第２記録媒体に記録する指示を受け付ける受付ステップと、前記受付ステップにおいて受け付けた指示に係る第１コンテンツを特定する情報と、第１コンテンツの品質に係る情報とを含む属性情報を取得する第１取得ステップと、第３記録媒体に記録されている第２コンテンツを特定する情報と、第２コンテンツの品質に係る情報とを含む属性情報とを取得する第２取得ステップと、前記第１取得ステップにおいて取得された第１コンテンツの属性情報と、前記第２取得ステップにおいて取得された第２コンテンツの属性情報とを比較する比較ステップと、比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合には、第１コンテンツを第２記録媒体に記録する第１の決定を行う第１決定ステップと、比較した結果、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う第２決定ステップとを含むことを特徴とする。
【００１３】
また、第２の目的を達成する本発明に係る記録媒体は、コンテンツを記録媒体に記録する処理をコンピュータに実行させるプログラムを記憶した記憶媒体であって、前記処理は、第１記録媒体に記録されている第１コンテンツを、第２記録媒体に記録する指示を受け付ける受付ステップと、前記受付ステップにおいて受け付けた指示に係る第１コンテンツを特定する情報と、第１コンテンツの品質に係る情報とを含む属性情報を取得する第１取得ステップと、第３記録媒体に記録されている第２コンテンツを特定する情報と、第２コンテンツの品質に係る情報とを含む属性情報とを取得する第２取得ステップと、前記第１取得ステップにおいて取得された第１コンテンツの属性情報と、前記第２取得ステップにおいて取得された第２コンテンツの属性情報とを比較する比較ステップと、比較した結果、第１コンテンツを特定する情報と第２コンテンツを特定する情報とが一致しない場合と、第１コンテンツを特定する情報と第２コンテンツを特定する情報とが一致し、且つ、第１コンテンツの品質の方が第２コンテンツの品質より良い場合には、第１コンテンツを第２記録媒体に記録する第１の決定を行う第１決定ステップと、比較した結果、第１コンテンツを特定する情報と第２コンテンツを特定する情報とが一致し、且つ、第１コンテンツの品質の方が第２コンテンツの品質より悪い場合は、第２コンテンツを第２記録媒体に記録する第２の決定を行う第２決定ステップとを含むことを特徴とする。
【００１４】
コンテンツの品質に係る情報は、例えば、音声が含まれるコンテンツであれば、音声データの圧縮方式やビットレート、サンプリング周波数等であり、また、画像が含まれるコンテンツであれば、画像データの圧縮方式やビットレート、フレームサイズ等である。また、プログラムを含むコンテンツであれば、バージョン情報が品質に係る情報に該当する。
【発明の効果】
【００１５】
上記第１の目的を達成するコンテンツ記録装置、コンテンツ記録方法、プログラム及び記録媒体を用いれば、同一とみなせるコンテンツの重複記録を防止しつつ、同一とみなせる２つのコンテンツのうち、品質の良いもののみを記録媒体に残すことができる。
ここで、前記属性情報には、更に、コンテンツのデータサイズを示すサイズ情報が含まれ、前記比較手段は、前記第１コンテンツを特定する情報と前記第２コンテンツを特定する情報とが一致し、且つ、第１コンテンツと第２コンテンツの品質が同等である場合には、第１コンテンツのサイズ情報と第２コンテンツのサイズ情報とを比較し、前記決定手段は、前記比較手段により属性情報が比較された結果、第１コンテンツを特定する情報と第２コンテンツを特定する情報とが一致し、且つ、第１コンテンツの品質と第２コンテンツの品質とが同等であり、且つ、第１コンテンツのデータサイズの方が第２コンテンツのデータサイズより小さい場合は、前記第２の決定を行い、第１コンテンツを特定する情報と第２コンテンツを特定する情報とが一致し、且つ、第１コンテンツの品質と第２コンテンツの品質とが同等であり、且つ、第１コンテンツのデータサイズの方が第２コンテンツのデータサイズより大きい場合は、前記第３の決定を行うとしてもよい。
【００１６】
この構成により、同一とみなせる２つのコンテンツの品質が同じである場合は、データサイズの小さい方を記録媒体に残すので、記録媒体容量の使用効率を上げることができる。
ここで、前記決定手段により、前記第１の決定又は前記第２の決定がなされた場合は、前記第１コンテンツを対応付けた再生リストを作成し、前記第３の決定がなされた場合は、前記第２コンテンツを対応付けた再生リストを作成する再生リスト作成手段を更に備えるとしてもよく、更に前記再生リストを、当該再生リストに対応付けられているコンテンツが属するグループを示すグループ情報と対応付けて記憶する記憶手段と、前記記憶手段に記憶されている再生リストの指定を受け付ける受付手段とを更に備え、前記第１取得手段は、受け付けた指定に係る再生リストと対応付けられているグループ情報に基づいて、前記第１コンテンツの属性情報を取得し、前記再生リスト作成手段は、前記決定手段により、前記第１の決定又は前記第２の決定がなされた場合は、前記第１コンテンツを前記受付手段により受け付けた指定に係る再生リストに対応付けてリスト更新するとしてもよい。
【００１７】
この構成により、受け付けた指定に係る再生リストに、新たに記録された第１コンテンツを対応付けるので、ユーザにとって把握し易いというメリットがある。
ここで、文字情報の入力を受け付ける受付手段を更に備え、前記第１取得手段は、受け付けた文字情報と関連する前記第１コンテンツの属性情報を取得するとしてもよい。
この構成により、受け付けた文字情報を含むコンテンツのみを記録媒体に記録することができるので、記録したい複数のコンテンツの属性情報に共通の文字情報が含まれているような場合は、一括して記録指定することができる。
【００１８】
ここで、前記第１コンテンツは、音声データを含む楽曲であり、前記決定手段により、第１の決定又は第２の決定がなされた場合に、前記第１コンテンツを取得する取得手段と、
取得された第１コンテンツの音声データを解析して、第１コンテンツのジャンルを推定する推定手段と、第１コンテンツと、前記推定手段により推定されたジャンルとを対応付けて記録する記録手段とを更に備えるとしてもよい。
【００１９】
この構成により、第１コンテンツの属性情報としてジャンルを示す情報が対応付けられていない場合であっても、ジャンルを推定して第１コンテンツと対応付けて記録することができる。
ここで、前記属性情報には、コンテンツの名前を示すタイトル情報が含まれ、前記決定手段は、前記比較手段による比較の結果、第１コンテンツ及び第２コンテンツそれぞれのタイトル情報の全部が一致しない場合は、前記第１の決定を行い、各タイトル情報の一部又は全部が一致し、且つ第１コンテンツの方が品質が良い場合は、前記第２の決定を行い、各タイトル情報の一部又は全部が一致し且つ第２コンテンツの方が品質が良い場合は、前記第３の決定を行うとしてもよい。
【００２０】
タイトル情報を用いることで、コンテンツの同一性比較を容易にすることができる。
ここで、前記コンテンツ記録装置は、更に、前記比較手段による比較の結果、第１コンテンツを特定する情報と第２コンテンツを特定する情報とが一致した場合に、前記第２コンテンツを構成するデータに欠陥がないかどうかを判断する検査手段を備え、前記決定手段は、前記検査手段により否定的な判断がなされた場合は、前記第２の決定を行うとしてもよい。
【００２１】
この構成により、第２コンテンツのデータに欠陥があれば、第１コンテンツが置き換えて記録されるので、品質のよいコンテンツを残すことができる。
ここで、前記検査手段は、前記比較手段による比較の結果、第１コンテンツを特定する情報と第２コンテンツを特定する情報とが一致した場合に、前記第２コンテンツを構成するバイナリデータのヘッダに含まれる情報が正常であるか否かを判断するとしてもよい。
【００２２】
この構成により、第２コンテンツを構成するバイナリデータのヘッダに異常があれば、第１コンテンツが置き換えて記録されるので、品質のよいコンテンツを残すことができる。
ここで、前記コンテンツ記録装置は、更に、前記比較手段による比較の結果、第１コンテンツを特定する情報と第２コンテンツを特定する情報とが一致した場合に、前記第２コンテンツが記録されている前記記録媒体の物理アドレスが正常であるか否かを判断する検査手段を備え、前記決定手段は、前記検査手段により否定的な判断がなされた場合は、前記第２の決定を行うとしてもよい。
【００２３】
この構成により、第２コンテンツが記録されている物理アドレスに異常があれば、第１コンテンツが別の物理アドレス領域に置き換えて記録されるので、品質のよいコンテンツを残すことができる。
ここで、記録媒体に記録すべき第１コンテンツを選択するために用いられる、当該第１コンテンツの属性情報の一部を含むフィルタ情報の指定を受け付ける受付手段を更に備え、
前記第１取得手段は、受け付けた指定に係るフィルタ情報を含む前記第１コンテンツの属性情報を取得するとしてもよいし、記録媒体に記録すべき第１コンテンツを選択するために用いられる、当該第１コンテンツの属性情報を含まないフィルタ情報の指定を受け付ける受付手段を更に備え、前記第１取得手段は、受け付けた指定に係るフィルタ情報を含まない前記第１コンテンツの属性情報を取得するとしてもよい。
【００２４】
これらの構成により、共通の情報を含む属性情報の楽曲を一括指定することができる。
また、上記第２の目的を達成するコンテンツ記録装置、コンテンツ記録方法、プログラム及び記録媒体を用いれば、第１記録媒体に記録されている第１コンテンツ及び第３記録媒体に記録されている第２コンテンツのうち、いずれか音質のよい方を第２記録媒体に記録することができる。  
【００２５】
ここで、前記コンテンツ記録装置は、更に、前記比較手段は、前記第１コンテンツを特定する情報と前記第２コンテンツを特定する情報とが一致し、且つ、第１コンテンツの品質と第２コンテンツの品質とが同等である場合には、前記第１記録媒体から第１コンテンツを読み出す速度と前記第３記録媒体から第２コンテンツを読み出す速度とを比較し、前記決定手段は、前記比較手段により属性情報が比較された結果、第１コンテンツを特定する情報と第２コンテンツを特定する情報とが一致し、且つ、第１コンテンツと第２コンテンツの品質とが同等であり、且つ、第１記録媒体から第１コンテンツを読み出す速度の方が、第３記録媒体から第２コンテンツを読み出す速度より速い場合は、前記第１の決定を行い、第１コンテンツを特定する情報と第２コンテンツを特定する情報とが一致し、且つ、第１コンテンツの品質と第２コンテンツの品質とが同等であり、且つ、第１記録媒体から第１コンテンツを読み出す速度の方が、第３記録媒体から第２コンテンツを読み出す速度より遅い場合は、前記第２の決定を行うとしてもよい。
【００２６】
この構成により、第１記録媒体に記録されている第１コンテンツと第３記録媒体に記録されている第２コンテンツの品質が同等の場合は、読取速度の速い方からコンテンツを読み出して第２記録媒体に記録するので、記録処理に係る時間を短縮することができる。
【発明を実施するための最良の形態】
【００２７】
以下、本発明の実施の形態について図面を用いて説明する。
＜構成１＞
図１は、コンテンツ再生記録装置の機能構成を示す図である。
コンテンツ再生記録装置１００は、光ディスクドライブ１０１、制御部１０２、操作部１０３、再生記録部１０４、ハードディスクドライブ（以下、「ＨＤＤ」と言う。）１０５、出力部１０６を備える。
【００２８】
コンテンツ再生記録装置１００は、同図に示す光ディスク１に記録されているコンテンツ、及びＨＤＤ１０５に記録されているコンテンツを再生する再生機能、光ディスク１に記録されているコンテンツデータを読み出して、ＨＤＤ１０５に記録する記録機能を有し、そのハードウェア構成は、ＣＰＵ、メモリ等を備えた一般的なコンピュータと同様である。
【００２９】
コンテンツ再生記録装置１００は、音声及び映像の出力先として、スピーカ付ディスプレイ装置２とケーブル線で接続されている。
光ディスクドライブ１０１は、光ディスク１を装着するための装着機構、光ディスク１に記録されているデータを光学的に読み取るピックアップ機構、光ディスク１を回転駆動するスピンドルモータ、スピンドルモータとピックアップ機構をサーボ制御するサーボ回路等を備え、制御部１０２の制御に従って、装着された光ディスク１に記録されているデータを読み出す。
【００３０】
光ディスク１は、ＣＤ（Ｃｏｍｐａｃｔ  Ｄｉｓｃ）、又は、ＤＶＤ（Ｄｉｇｉｔａｌ  Ｖｅｒｓａｔｉｌｅ  Ｄｉｓｃ）であり、光ディスク１には、圧縮記録された複数の楽曲が記録されている。
光ディスク１に記録されている楽曲は、音声信号をデジタル化して、所定の圧縮方式で圧縮された楽曲データと、属性情報（楽曲名、アーティスト名、アルバム名、ジャンル名、圧縮方式、ビットレート、データサイズ、日時情報等）とで構成される。
【００３１】
読み出された楽曲データは、再生記録部１０４に送られ、属性情報は制御部１０２に送られる。
制御部１０２は、各機能部を制御する機能、スピーカ付ディスプレイ装置２に表示するＧＵＩ（Ｇｒａｐｈｉｃａｌ  Ｕｓｅｒ  Ｉｎｔｅｒｆａｃｅ）用のデータを生成する機能を有する。具体的には、メモリ又はＨＤＤ１０５に記憶されている制御プログラムをＣＰＵが実行することにより、制御部１０２は実現される。
【００３２】
操作部１０３は、操作ボタンを有し、当該操作ボタンに対するユーザの操作によって各種指示（例えば、記録する楽曲指定指示等）を受け付ける機能を有する。受け付けた各種指示は、制御部１０２に送られる。
再生記録部１０４は、光ディスクドライブ１０１から送られてきた楽曲データや、ＨＤＤ１０５から送られてきた楽曲データをデコードして再生したり、光ディスクドライブ１０１から送られてきた楽曲データを、そのままの状態或いは所定の圧縮方式に変換してＨＤＤ１０５に送り、記録させる機能を有する。
【００３３】
再生記録部１０４によって再生された楽曲データは、出力部１０６に送られる。
ＨＤＤ１０５は、大容量の記録領域を有するハードディスクを有し、制御部１０２の制御に従って、ハードディスクにデータを書き込んだり、読み出したりする機能を有する。
出力部１０６は、再生記録部１０４から送られてきた楽曲データや、制御部１０２から送られてきた画像データであるＧＵＩデータ等を、制御部１０２の制御に従ってＤ／Ａ変換及び信号増幅を行い、アナログの音声信号及び映像信号としてスピーカ付ディスプレイ装置２に出力する機能を有する。
【００３４】
スピーカ付ディスプレイ装置２は、出力部１０６から出力された音声信号及び映像信号を受けて、音声出力及び映像表示を行う機能を有する。
＜動作＞
以下、コンテンツ再生記録装置１００の動作について説明する。
図２は、光ディスク１に記録されている楽曲をＨＤＤ１０５に記録するか否かを決定する重複記録防止処理を説明するために用いるフローチャート図である。
【００３５】
まず、ユーザが、光ディスク１を光ディスクドライブ１０１に装着する（ステップＳ１）。光ディスクドライブ１０１は、光ディスク１が装着されると、制御部１０２に光ディスク１が装着されたことを通知する。
上記通知を受けた制御部１０２は、コンテンツを記録又は再生するためのアプリケーションプログラム（以下、「プレイヤー」と言う。）を実行し（ステップＳ２）、光ディスク１に記録されている楽曲の属性情報の読み出しを光ディスクドライブ１０１に開始させる。光ディスクドライブ１０１は、光ディスク１に記録されている楽曲の属性情報を読み出して、制御部１０２に伝送する（ステップＳ３）。
【００３６】
また、制御部１０２は、ハードディスク内に記録されている全楽曲の属性情報をＨＤＤ１０５に読み出させる。ＨＤＤ１０５は、読み出した属性情報を制御部１０２に伝送する（ステップＳ４）。
制御部１０２は、光ディスクドライブ１０１及びＨＤＤ１０５から伝送されてきた属性情報をメモリに記憶する。
【００３７】
制御部１０２は、プレイヤーの実行により、ユーザからコンテンツの記録及び再生指示を受け付けるためのＧＵＩデータを生成し、生成したＧＵＩデータを出力部１０６から出力して、スピーカ付ディスプレイ装置２にＧＵＩ画面を表示させる。
ＧＵＩデータには、メモリに記憶させた光ディスク１の楽曲の属性情報や、ハードディスク内の楽曲の属性情報に基づいて作成された再生リストが含まれる。
【００３８】
再生リストとは、アーティスト名やアルバム名、或いはユーザのお気に入り等、複数の楽曲を対応付けた一覧リストであり、一覧に含まれる各楽曲に一連の番号を割り振って、その順に楽曲を再生させたり、一覧に含まれる楽曲の中から、再生或いは他のメディアに記録するものの選択指示をユーザから受け付けるためのリストとして用いられる。
スピーカ付ディスプレイ装置２に表示されたＧＵＩ画面には、光ディスク１に記録されている各楽曲の再生リストが表示され、ユーザは、当該再生リストから、再生させる楽曲又はハードディスクに記録すべき楽曲の指定を行う（ステップＳ５）。
【００３９】
具体的には、ユーザは、操作部１０３に備わる操作ボタンを操作して、スピーカ付ディスプレイ装置２の画面に表示されるポインタを移動させて、表示されているリストの中から所望の楽曲の選択を行う。
ここで、ユーザからハードディスクに記録したい楽曲の指定を受け付けた場合、制御部１０２は、コンテンツ重複記録防止処理を開始する。
【００４０】
まず、制御部１０２は、指定された楽曲の属性情報とＨＤＤ１０５内に記録されている楽曲の属性情報との比較を行う（ステップＳ６）。
比較を行った結果、指定楽曲の楽曲名と一致するものが、ＨＤＤ１０５内に記録されていることが判明した場合（ステップＳ７：ＹＥＳ）、制御部１０２は、光ディスク１に記録されている指定楽曲を構成する楽曲データ（以下、「第１楽曲データ」と言う。）と、ＨＤＤ１０５内に記録されている同一名の楽曲を構成する楽曲データ（以下、「第２楽曲データ」と言う。）の音質比較、すなわち、記録方式及びビットレートの比較を行う（ステップＳ８）。
【００４１】
その結果、第１楽曲データの方が、第２楽曲データより音質が良い場合（ステップＳ９：ＹＥＳ）、制御部１０２は、第２楽曲データと置き換えて第１楽曲データをハードディスクに記録することを決定する（ステップＳ１０）。その後、ステップＳ１２に移る。
ステップＳ７において、楽曲名が一致するものがなければ（ステップＳ７：ＮＯ）、ステップＳ１３に移る。
【００４２】
ステップＳ９において、第１楽曲データと第２楽曲データの音質が同等、若しくは第１楽曲データの方が第２楽曲データより音質が良くない場合（ステップＳ９：ＮＯ）、制御部１０２は、第１楽曲データをハードディスクに記録しないことを決定する（ステップＳ１１）。その後、ステップＳ１２に移る。
ステップＳ１２において、楽曲名が一致したもの全てについて音質比較が終了した場合（ステップＳ１２：ＹＥＳ）、制御部１０２は、ステップＳ１３に移る。音質比較が終了していなければ（ステップＳ１２：ＮＯ）、ステップＳ８に戻る。
【００４３】
ステップＳ１３において、制御部１０２は、先の決定事項に基づいて、光ディスク１からハードディスクに記録する楽曲データを光ディスクドライブ１０１に読み出させて、ＨＤＤ１０５に当該楽曲データを記録させる。
楽曲データの記録が終わると、ユーザが記録指定した楽曲を構成する楽曲データを対応付けた再生リストの作成を行う（ステップＳ１４）。
【００４４】
ユーザが記録指定した楽曲のうち、ハードディスクに既に同一楽曲を構成する第２楽曲データが記録されているため新たに記録されなかった楽曲については、その第２楽曲データを、新たに作成する再生リストに対応付ける処理を行う。
その後、ユーザからプレイヤーの終了指示を受け付けると、制御部１０２は、コンテンツ重複記録防止処理を終了する。
【００４５】
コンテンツ重複記録防止処理の具体的な動作について、図３、図４を用いて説明する。
図３に示す表３０１は、光ディスク１に記録されている楽曲のうち、ユーザから記録指定された楽曲の属性情報の一部を示した表であり、表３０２は、ハードディスクに記録されている楽曲の属性情報の一部を示した表である。
制御部１０２は、記録指定された楽曲の属性情報と、ハードディスクに記録されている楽曲の属性情報とを比較し、その結果、図３に示すように楽曲名「ｍｕｓｉｃ１１」の楽曲が、ハードディスク内に既に記録されていることが判明すると、続いて、光ディスク１に記録されている「ｍｕｓｉｃ１１」を構成する第１楽曲データの圧縮方式及びビットレートと、ハードディスク内に記録されている「ｍｕｓｉｃ１１」を構成する第２楽曲データの圧縮方式及びビットレートとを比較する。
【００４６】
光ディスク１に記録されている「ｍｕｓｉｃ１１」を構成する第１楽曲データは、ｍｐ３（ＭＰＥＧ−１  Ａｕｄｉｏ  Ｌａｙｅｒ−３）圧縮方式で記録されており、ビットレートは１２８ｋｂｐｓである。
一方、ハードディスク内に記録されている「ｍｕｓｉｃ１１」を構成する第２楽曲データは、同じくｍｐ３で記録されているが、ビットレートは９６ｋｂｐｓである。
【００４７】
図４は、制御部１０２が、楽曲の音質を比較するために用いる音質比較表を表した図である。
音質比較表４００において、音質順位が高い程（数字が小さくなる程）、音質が良い圧縮方式・ビットレートとしている。
この表によると、圧縮方式がｍｐ３で、ビットレートが１２８ｋｂｐｓの場合、音質順位は６位であり、圧縮方式がｍｐ３で、ビットレートが９６ｋｂｐｓの場合、音質順位は８位であるので、光ディスク１に記録されている「ｍｕｓｉｃ１１」を構成する第１楽曲データの方が、ハードディスクに記録されている「ｍｕｓｉｃ１１」を構成する第２楽曲データより音質が良いことになる。
【００４８】
なお、音質比較表４００に示されているＷＭＡ（Ｗｉｎｄｏｗｓ（登録商標）  Ｍｅｄｉａ  Ａｕｄｉｏ）は、Ｍｉｃｒｏｓｏｆｔ社の音声圧縮フォーマットであり、ＡＡＣ（Ａｄｖａｎｃｅｄ  Ａｕｄｉｏ  Ｃｏｄｉｎｇ）は、映像圧縮規格ＭＰＥＧ−２またはＭＰＥＧ−４で使われる音声圧縮方式である。
以上述べたように、コンテンツ記録再生装置１００は、光ディスク１からハードディスクに記録すべき楽曲の指定をユーザから受け付けた場合、記録指定された楽曲と同一とみなせるものが、既にハードディスクに記録されていて、且つ、光ディスク１に記録されている楽曲データの方が高音質であれば、ハードディスクに記録されているものと置き換えて記録し、光ディスク１に記録されている楽曲データの方が低音質或いは同等の音質であれば、記録を行わないので、同一内容のデータを重複記録することなく、高音質のものをハードディスクに残すことができる。
【００４９】
＜変形例１＞
上述のコンテンツ重複記録防止処理のステップＳ９において、制御部１０２は、第１楽曲データの音質と第２楽曲データの音質が同等であれば、第１楽曲データをハードディスクに記録しない決定をしていたが、以下に説明する動作を行うように変形してもよい。
図５は、コンテンツ重複記録防止処理の変形例１を説明するために用いるフローチャート図である。
【００５０】
制御部１０２が、属性情報を比較した結果、同一楽曲名の楽曲を構成する第１楽曲データの音質と第２楽曲データの音質が同等の音質であることが判明した場合（ステップＳ２１：ＹＥＳ）、続いて、第１楽曲データと第２楽曲データのデータサイズの比較を行う（ステップＳ２２）。
データサイズを比較した結果、第１楽曲データのデータサイズの方が、第２楽曲データのデータサイズより小さい場合（ステップＳ２３：ＹＥＳ）、制御部１０２はステップＳ１０に移る。すなわち、制御部１０２は、第２楽曲データと置き換えて第１楽曲データをハードディスクに記録することを決定する。
【００５１】
ステップＳ２１において、第１楽曲データと第２楽曲データの音質が同等ではなく、第１楽曲データの方が第２楽曲データより音質が良くない場合は（ステップＳ２１：ＮＯ）、制御部１０２は、ステップＳ１１に移る。すなわち、制御部１０２は、第１楽曲データをハードディスクに記録しないことを決定する。
また、ステップＳ２３において、第１楽曲データのデータサイズの方が、第２楽曲データのデータサイズより大きい或いは、同等のサイズの場合（ステップＳ２３：ＮＯ）、制御部１０２は、ステップＳ１１に移る。
【００５２】
具体的には、第１楽曲データの圧縮方式及びビットレートが、ＡＡＣ圧縮方式・９６ｋｂｐｓで、第２楽曲データの圧縮方式及びビットレートが、ｍｐ３圧縮方式・９６ｋｂｐｓの場合、音質は、図４の音質順位表に示すように同順位であるが、データサイズは、ＡＡＣの方がｍｐ３より圧縮効率が良いため、データサイズが小さくなる。
以上述べた変形例１に係るコンテンツ重複記録防止処理を行えば、同一楽曲の楽曲データを重複記録することなく、高音質で且つデータサイズの小さなものをハードディスクに残すことができる。
【００５３】
＜変形例２＞
図６は、変形例２に係るコンテンツ再生記録装置１００の動作を説明するために用いるフローチャート図である。
変形例２の動作において、図２に示したフローチャートにおけるステップＳ１〜ステップＳ４までの動作については同じであるので説明を省略する。
【００５４】
コンテンツ記録装置１００の制御部１０２は、プレイヤーの起動後、ハードディスクに記録されている楽曲を対応付けた再生リスト群を示すＧＵＩデータを生成する。
生成されたＧＵＩデータは、出力部１０６を介して映像として出力され、スピーカ付ディスプレイ装置２には、ＧＵＩ画面が表示される（ステップＳ３１）。
図７は、スピーカ付ディスプレイ装置２に表示させたＧＵＩ画面の一例を示す図である。
【００５５】
ＧＵＩ画面７００は、再生リスト群を表示する表示部７０１と、再生リスト群から選択された再生リストの詳細内容を表示する表示部７０４とから成る。
ユーザが、操作部１０３に備わる操作ボタンを操作して、ポインタ７０３を移動させて、再生リスト群の中から１つの再生リストを選択すると（ステップＳ３２）、その選択指示を受け付けた制御部１０２は、選択された再生リストに対応付けられている楽曲の属性情報一覧等、選択された再生リスト及び再生リストに対応付けられているコンテンツの詳細内容を示すＧＵＩデータを生成して、表示部７０４に表示させる。
【００５６】
図７においてユーザは、再生リスト名「お気に入り１０」７０２を選択指示しているので、表示部７０４には、選択された再生リストの再生リスト名「お気に入り１０」７０５と、選択された再生リストに対応付けられているグループ情報「ＰＯＰ」７０６と、選択された再生リストに対応付けられている楽曲の属性情報の一覧と、当該再生リストに同じグループに属する楽曲を追加する指示を受け付けるためのＧＵＩボタン７０７が表示されている。
【００５７】
グループ情報には、楽曲のジャンルや、アーティスト名、アルバム名、圧縮記録した日付等を用いることができる。
なお、同図においては、ポップミュージックを表すジャンル名である「ＰＯＰ」が、再生リスト「お気に入り１０」のグループ情報として対応付けられている。
ユーザが、ＧＵＩボタン７０７を押下する指示を行うと（ステップＳ３３）、制御部１０２は、光ディスク１に記録されている楽曲のうち、詳細表示している再生リストに対応付けられているグループに属する楽曲を記録指定する（ステップＳ３４）。その後ステップＳ６に移る。
【００５８】
より具体的な動作について、図８、図９を用いて説明する。
図８に示す表８０１は、光ディスク１に記録されている楽曲の属性情報の一部を示した表であり、表８０２は、ハードディスクに記録されている楽曲の属性情報の一部を示した表である。
ユーザが選択した再生リストと対応付けられているグループ情報が「ＰＯＰ」である場合、制御部１０２は、光ディスク１に記録されている楽曲の属性情報のジャンル名が「ＰＯＰ」である楽曲を記録指定する。
【００５９】
楽曲「ｍｕｓｉｃ１２」は、楽曲のジャンルが「ＲＯＣＫ」となっているため、記録対象外となる。
図９は、ステップＳ３４において記録指定された楽曲が、「お気に入り１０」の再生リスト９０１に追加登録されたことを示す図である。
以上述べたように、変形例２で説明した楽曲の追加機能を用いれば、再生リストに対応付けられているグループに属する楽曲を、当該再生リストに容易に追加することができる。
＜変形例３＞
図１０は、変形例３に係るコンテンツ再生記録装置１００の動作を説明するために用いるフローチャート図である。
【００６０】
変形例３の動作において、図２に示したフローチャートにおけるステップＳ１〜ステップＳ４までの動作については同じであるので説明を省略する。
コンテンツ記録装置１００の制御部１０２は、実施の形態１で説明したプレイヤーを起動させると、ユーザから文字入力を受け付けるためのＧＵＩデータを生成する。
生成されたＧＵＩデータは、出力部１０６を介して映像として出力され、スピーカ付ディスプレイ装置２には、文字情報入力用のＧＵＩ画面が表示される。ユーザが操作部１０３の操作ボタンを操作して文字の入力を行うと（ステップＳ４１）、制御部１０２は、属性情報に入力された文字情報を含む楽曲を、記録指定する（ステップＳ４２）。
【００６１】
具体的な動作を、図８の表８０１を用いて説明する。
ユーザが、スピーカ付ディスプレイ装置２に表示されたＧＵＩ画面に「ＲＯＣＫ」と文字入力した場合、これを受け付けた制御部１０２は、光ディスク１に記録されている楽曲のうち、属性情報に「ＲＯＣＫ」が記載されている楽曲を光ディスクドライブ１０１に読み出させる。すなわち、ジャンルが「ＲＯＣＫ」と記載されているｍｕｓｉｃ１２が読み出され、ＨＤＤ１０５に記録される。
【００６２】
変形例３で説明した記録する楽曲の選択方法を用いれば、ユーザが入力した文字情報を含むものだけを選択することができるので、大量の楽曲が記録されている光ディスクから記録したい楽曲を選択する際に有用である。
＜変形例４＞
図１１は、変形例４に係るコンテンツ再生記録装置１００の動作を説明するために用いるフローチャート図である。
【００６３】
変形例４の動作において、図２に示したフローチャートにおけるステップＳ１〜ステップＳ１３までの動作については同じであるので説明を省略する。
制御部１０２は、記録した楽曲データの音声解析を行って、楽曲のジャンルを推定する（ステップＳ５２）。楽曲データの音声解析には、松下電器産業株式会社が開発した音楽選曲インターフェイス技術「ミュージックソムリエ」に用いられている統計解析技術を利用する。
【００６４】
具体的には、楽曲の頭から１０秒間程度の音楽信号（波形）を、テンポやビート、平均音数等８つのパラメータで分析して、「音楽的特徴量」と呼ばれるデータを抽出し、抽出された「音楽的特徴量」と対応付けられているジャンルを、本楽曲のジャンルと推定する。
推定されたジャンル情報は、楽曲の属性情報の一部としてハードディスクに記録され、制御部１０２は、当該属性情報が対応付けられている再生リストを作成する（ステップＳ５２）。
【００６５】
変形例４に係るコンテンツ再生記録装置１００を用いれば、記録対象の楽曲にジャンル情報が付加されていない場合であっても、ジャンル情報を推定して、属性情報として当該楽曲に付加することができる。
＜変形例５＞
以下、変形例５に係るコンテンツ再生記録装置について説明する。
【００６６】
図１２は、変形例５のコンテンツ再生記録装置の構成を示す図である。
同図に示すコンテンツ再生記録装置１００Ａは、図１のコンテンツ再生記録装置１００に、ＵＳＢ（Ｕｎｉｖｅｒｓａｌ  Ｓｅｒｉａｌ  Ｂｕｓ）端子１０７が付加されたものである。
ＵＳＢ端子１０７には、リーダライタ３が接続されている。
【００６７】
リーダライタ３は、装着されたメモリーカード４に記録されているデータを読み出したり、メモリーカード４にデータを書き込むことが可能な装置である。
なお、リーダライタ３が、メモリーカード４からデータを読み出す速度は、光ディスクドライブ１０１が、光ディスク１からデータを読み出す速度より速いものとする。
図１３は、実施の形態５に係るコンテンツ再生記録装置１００Ａの動作を説明するために用いるフローチャート図である。
【００６８】
変形例５に係るコンテンツ再生記録装置１００Ａの動作において、図２に示したフローチャートにおけるステップＳ１〜ステップＳ４までの動作は同じであるので説明を省略する。
コンテンツ記録装置１００Ａの制御部１０２は、メモリーカード４に記録されている楽曲の属性情報を、リーダライタ３に読み取らせて取得する（ステップＳ６０）。
【００６９】
スピーカ付ディスプレイ装置２に表示されたＧＵＩ画面には、光ディスク１に記録されている各楽曲の再生リスト表示されており、ユーザは、当該再生リストから、再生させる楽曲又はハードディスクに記録すべき楽曲の指定を行う（ステップＳ６１）。
ステップＳ３において取得された楽曲の属性情報と、ステップＳ６１において取得したメモリーカード４に記録されている楽曲の属性情報とを比較する（ステップＳ６２）。
【００７０】
比較した結果、指定楽曲の楽曲名と一致するものが、メモリーカード４内に記録されていることが判明した場合（ステップＳ６３：ＹＥＳ）、続いて、制御部１０２は、光ディスク１に記録されている指定楽曲を構成する第１楽曲データと、メモリーカード４内に記録されている当該楽曲を構成する楽曲データ（以下、「第３楽曲データ」と言う。）の音質比較、すなわち、記録方式及びビットレートの比較を行う（ステップＳ６４）。
【００７１】
比較した結果、光ディスク１に記録されている第１楽曲データの方が、メモリーカード４に記録されている第３楽曲データより音質が良いことが判明した場合（ステップＳ６５：ＹＥＳ）、制御部１０２は、第１楽曲データをハードディスクに記録することを決定する（ステップＳ６６）。その後、ステップＳ６８に移る。
ステップＳ６５において、光ディスク１に記録されている第１楽曲データと第２楽曲データの音質が同等、若しくは第１楽曲データの方がメモリーカード４に記録されている第３楽曲データより音質が悪いことが判明した場合（ステップＳ６５：ＮＯ）、制御部１０２は、第３楽曲データをハードディスクに記録することを決定する（ステップＳ６７）。その後、ステップＳ６８に移る。
【００７２】
ステップＳ６８において、楽曲名が一致したもの全てについて音質比較が終了した場合（ステップＳ６８：ＹＥＳ）、ステップＳ６に移る。音質比較が終了していなければ（ステップＳ６８：ＮＯ）、ステップＳ６３に戻る。
＜変形例６＞
上述の変形例５において説明したコンテンツ再生記録装置１００Ａは、ステップＳ６５において、第１楽曲データと第３楽曲データの音質が同等の場合は、読み取り速度の速いカードリーダ３が第３楽曲データを読み出して、ハードディスクに記録するようにしていたが、光ディスクドライブ１０１とリーダライタ３のどちらの方がデータの読取速度が速いかがわからない場合が想定される。そこで、以下に説明する動作に変形してもよい。
【００７３】
図１４は、変形例６に係るコンテンツ再生記録装置１００Ａの動作を説明するために用いるフローチャート図である。
光ディスク１に記録されている第１楽曲データと第２楽曲データの音質が同等の場合（ステップＳ７１：ＹＥＳ）、リーダライタ３と光ディスクドライブ１０１それぞれのデータ読取速度を測定する（ステップＳ７２）。
【００７４】
測定した結果、速度の速い方から指定楽曲データの読み出しを行うことを決定し（ステップＳ７３）、ステップＳ６８に戻る。
ステップＳ７１において、第１楽曲データの方が第３楽曲データより音質が良くない場合（ステップＳ７１：ＮＯ）、ステップＳ６７に移る。
なお、ステップＳ７３では、判定基準に読み取り速度を用いたが、他にも記録媒体の特性（例えば、セクタ情報の信頼性など）を用いてもよい。
【００７５】
上記は指定楽曲データを自動で選択する方法であるが、ユーザが指定してもよい。
＜変形例７＞
図１５は、変形例７に係るコンテンツ再生記録装置１００の動作を説明するために用いるフローチャート図である。
変形例７に係るコンテンツ再生記録装置１００の動作において、図２に示したフローチャートにおけるステップＳ１〜ステップＳ６までの動作については同じであるので説明を省略する。
【００７６】
制御部１０２が、属性情報の比較を行った結果、指定楽曲の楽曲名と完全に一致するものが、ＨＤＤ１０５内に記録されていることが判明した場合（ステップＳ８１：ＹＥＳ）、楽曲名が一致したものとしてＨＤＤ１０５に記憶させ（ステップＳ８２）、指定された楽曲全ての比較が終了したかどうかを確認する(ステップＳ８６）。
指定楽曲全ての比較が終了した場合( ステップＳ８６：ＹＥＳ)、制御部１０２は、ステップＳ７に移る。指定楽曲全ての比較が終了していない場合（ステップＳ８６：ＮＯ）、制御部１０２は、ステップＳ８１に戻り、比較が終了していない指定楽曲の比較を行う。
【００７７】
ステップＳ８１において、指定楽曲の楽曲名と完全には一致しない場合、制御部１０２は、楽曲名の一致度合の判定を行う（ステップＳ８３）。
その結果、同一楽曲とみなせる場合（ステップＳ８４：ＹＥＳ）、ステップＳ８２に移る。ステップＳ８４において、指定楽曲と同一楽曲とみなせない場合（ステップＳ８４：ＮＯ）、ステップＳ８６に移る。
【００７８】
具体的な動作について、図１６を用いて説明する。
図１６に示す表１００１は、光ディスク１に記録されている楽曲のうち、ユーザから記録指定された楽曲の属性情報の一部を示した表であり、表１００２は、ハードディスクに記録されている楽曲の属性情報の一部を示した表である。
制御部１０２は、記録指定された楽曲の属性情報と、ハードディスクに記録されている楽曲の属性情報とを比較する。
【００７９】
そして、図１６に示すように大文字のアルファベットで登録された楽曲名「ＭＵＳＩＣ１１」の楽曲は、ハードディスクに存在しないが、小文字のアルファベットで登録された楽曲名「ｍｕｓｉｃ１１」は、ハードディスク内に存在する場合、他の属性情報、例えば再生時間を比較することで、同一楽曲かどうかを判定する。
その結果同一楽曲と見なすことができると判定されれば、ハードディスク内に既に記録されているとし、続いて、光ディスク１に記録されている「ＭＵＳＩＣ１１」を構成する第１楽曲データの圧縮方式及びビットレートと、ハードディスク内に記録されている「ｍｕｓｉｃ１１」を構成する第２楽曲データの圧縮方式及びビットレートとを比較する。
【００８０】
以上述べたように、コンテンツ記録再生装置１００は、光ディスク１からハードディスクに記録すべき楽曲の指定をユーザから受け付けた場合、記録指定された楽曲と同一とみなせるものが、既にハードディスクに記録されていて、且つ、光ディスク１に記録されている楽曲データの方が高音質であれば、ハードディスクに記録されているものと置き換えて記録し、光ディスク１に記録されている楽曲データの方が低音質或いは同等の音質であれば、記録を行わないので、同一内容のデータを重複記録することなく、高音質のものをハードディスクに残すことができる。
＜変形例８＞
図１７は、変形例８に係るコンテンツ再生記録装置１００の動作を説明するために用いるフローチャート図である。
【００８１】
変形例８の動作において、図２に示したフローチャートにおけるステップＳ１〜ステップＳ７までの動作については同じであるので説明を省略する。
制御部１０２が属性情報の比較を行った結果、指定楽曲の楽曲名と一致するものが、ＨＤＤ１０５内に記録されていることが判明した場合（ステップＳ７：ＹＥＳ）、制御部１０２は、第１楽曲データと、第２楽曲データのサイズの比較を行う（ステップＳ９１）。
【００８２】
その結果、第１楽曲データの方が、第２楽曲データよりサイズが小さい場合（ステップＳ９２：ＹＥＳ）、制御部１０２は、第２楽曲データと置き換えて第１楽曲データをハードディスクに記録することを決定する（ステップＳ１０）。
ステップＳ７において、楽曲名が一致するものがなければ（ステップＳ７：ＮＯ）、制御部１０２は、ステップＳ１３に移る。
【００８３】
ステップＳ９２において、第１楽曲データと第２楽曲データのサイズが同等、若しくは第１楽曲データの方が第２楽曲データより音質が大きい場合（ステップＳ９２：ＮＯ）、制御部１０２は、第１楽曲データをハードディスクに記録しないことを決定する（ステップＳ１１）。
＜変形例９＞
図１８は、変形例９に係るコンテンツ再生記録装置１００の動作を説明するために用いるフローチャート図である。
【００８４】
変形例９の動作において、図２に示したフローチャートにおけるステップＳ１〜ステップＳ７までの動作については同じであるので説明を省略する。
比較を行った結果、指定楽曲の楽曲名と一致するものが、ＨＤＤ１０５内に記録されていることが判明した場合（ステップＳ７：ＹＥＳ）、制御部１０２は、第２楽曲データのデータ信頼性の確認を行う（ステップＳ１０１）。
【００８５】
その結果、第２楽曲データについてデータ信頼性がないことが確認された場合（ステップＳ１０２：ＹＥＳ）、制御部１０２は、第２楽曲データと置き換えて第１楽曲データをハードディスクに記録することを決定する（ステップＳ１０）。
ステップＳ７において、楽曲名が一致するものがなければ（ステップＳ７：ＮＯ）、制御部１０２は、ステップＳ１３に移る。
【００８６】
ステップＳ１０２において、データ信頼性がある場合（ステップＳ１０２：ＮＯ）、制御部１０２は、第１楽曲データをハードディスクに記録しないことを決定する（ステップＳ１１）。
コンテンツデータの信頼性の確認処理について、図１９を用いて説明する。
図１９に示す表１１０１は、光ディスク１に記録されている楽曲のうち、ユーザから記録指定された楽曲の属性情報の一部を示した表であり、表１１０２は、ハードディスクに記録されている楽曲の属性情報の一部を示した表である。
【００８７】
制御部１０２は、記録指定された楽曲の属性情報と、ハードディスクに記録されている楽曲の属性情報とを比較し、その結果、図１９に示すように楽曲名「ｍｕｓｉｃ１１」の楽曲が、ハードディスク内に記録されていることが判明すると、表１１０２内の楽曲名「ｍｕｓｉｃ１１」のデータ信頼性を確認する。
データ信頼性が無い場合（表１１０２のデータ信頼性の項目で×と表記）、光ディスク１に記録されている「ｍｕｓｉｃ１１」をハードディスク内に記録を行う。同様に、楽曲名「ｍｕｓｉｃ１２」の楽曲が、ハードディスク内に記録されていることが判明すると、表１１０２内の楽曲名「ｍｕｓｉｃ１２」のデータ信頼性を確認する。データ信頼性が有る場合（表１１０２のデータ信頼性の項目で○と表記）、光ディスク１からハードディスクへ記録を行わない。
【００８８】
以上述べたように、コンテンツ記録再生装置１００は、光ディスク１からハードディスクに記録すべき楽曲の指定をユーザから受け付けた場合、記録指定された楽曲と同一とみなせるものが、既にハードディスクに記録されていて、且つ、ハードディスクに記録されている楽曲データのデータ信頼性が無い場合は、ハードディスクに記録されているものと置き換えて記録し、ハードディスクに記録されている楽曲データのデータ信頼性がある場合は、記録を行わないので、データ信頼性を向上することができる。
【００８９】
データ信頼性を判定として、以下に３つの例を挙げる。
（１）ハードディスク内に記録されている楽曲データについて、光ディスク１からハードディスクに記録すべき楽曲の指定を受け付ける前に、記録指定された楽曲の再生を行い、音飛びなど、データの連続性が損なわれていないかを確認し、結果を表１１０２のデータ信頼性の項目に記録しておく。
（２）光ディスク１からハードディスクに記録すべき楽曲の指定を受け付けた際に、ハードディスク内に記録されている楽曲データのバイナリデータのヘッダに含まれる情報に異常がないかを確認し（例えば、楽曲データがＡＡＣであるが、楽曲データのヘッダ情報がＡＡＣ規格から外れている等）、結果を表１１０２のデータ信頼性の項目に記録しておく。
（３）光ディスク１からハードディスクに記録すべき楽曲の指定を受け付けた際、ハードディスク内に記録されている楽曲データのハードディスク上の物理的な位置に異常がないかを確認し（例えば、ハードディスクのＴＯＣ情報から楽曲データが記録されているセクタに異常がある等）、結果を表１１０２のデータ信頼性の項目に記録しておく。
＜変形例１０＞
ＨＤＤ１０５内に記録されていた楽曲データを、外部から取り入れた同一楽曲の新たな楽曲データに置き換えて再記録する場合に、元の楽曲データが対応付けられていた再生リストを更新して、新たに記録した楽曲データの対応付けを行うようにしてもよい。
【００９０】
再生リスト更新の具体的な動作について、図２０、図２１を用いて説明する。
図２０は、光ディスク１内の指定楽曲名一覧１２０１及びハードディスクに記録されている楽曲の属性情報の一覧１２０２の一部を示す図である。
図２１は、光ディスク１からハードディスクに新たに楽曲を記録した後の楽曲の属性情報の一覧１３０１の一部を示す図である。
【００９１】
制御部１０２は、記録指定された楽曲の属性情報と、ハードディスクに記録されている楽曲の属性情報とを比較し、その結果、楽曲名が一致した楽曲名「ｍｕｓｉｃ１１」及び「ｍｕｓｉｃ１２」のうち、ＨＤＤ１０５内に記録されている楽曲データより音質がよいことが判明した楽曲名「ｍｕｓｉｃ１１」のみが、置き換え記録される。
その際、新たに記録される楽曲名「ｍｕｓｉｃ１１」の楽曲データは、ハードディスク内の別の位置に書かれることになるので、図２１に示すように、ｍｕｓｉｃ１１のＨＤＤ１０５内開始アドレスを「８００」から「１２００」に書き換え更新する。
＜変形例１１＞
図２２は、変形例１１に係るコンテンツ再生記録装置１００の動作を説明するために用いるフローチャート図である。
【００９２】
変形例１１の動作において、図２に示したフローチャートにおけるステップＳ１〜ステップＳ４までの動作については同じであるので説明を省略する。
まず、ユーザがハードディスクに記録すべき楽曲を指定する為に、楽曲の属性情報から光ディスク１に記録されている楽曲の一部を抽出するためのフィルタ情報を指定する操作を操作部１０３に対して行い、これをコンテンツ再生記録装置１００は受け付ける（ステップＳ１２１）。
【００９３】
制御部１０２は、指定されたフィルタ情報を含む属性情報の楽曲を指定楽曲として記録指定し（ステップＳ１２２）、ステップＳ６に移る。
フィルタ情報による記録コンテンツの選別方法の具体的な動作例１について、図２３、２４を用いて説明する。
図２３は、フィルタ情報の一例を示す図であり、図２４に示す表１５０１は光ディスク１に記録されている楽曲を示した表であり、表１５０２、表１５０３、表１５０４はそれぞれ、各フィルタ情報によって抽出された楽曲の属性情報の一部を示した表である。
【００９４】
図２３に示す表１４０１のフィルタ情報のうち、例えば、フィルタ１が選択された場合、表１５０２のように、属性情報に「ＷＭＡ」を含む楽曲である、「ｍｕｓｉｃ１」のみが記録指定される。
また、フィルタ４が選択された場合、表１５０３のように、属性情報に「９６ｋｂｐｓ」を含む楽曲である、「ｍｕｓｉｃ１」、「ｍｕｓｉｃ２」、「ｍｕｓｉｃ４」のみが記録指定される。
【００９５】
また、フィルタ１の負論理が選択された場合、表１５０４のように、属性情報に「ＷＭＡ」を含まない楽曲である、「ｍｕｓｉｃ２」、「ｍｕｓｉｃ３」、「ｍｕｓｉｃ４」、「ｍｕｓｉｃ５」のみが記録指定される。
更に、フィルタ２の負論理とフィルタ４との論理積を選択する等、各フィルタを組み合わせて用いることも可能である。
【００９６】
フィルタ情報としては、タイトル名、アーティスト名、データサイズ、記録した日時、曜日、指定データサイズ以上又は以下、指定データサイズの範囲指定、指定日より以前に記録したもの、指定日より以後に記録したもの、記録した日時の範囲指定等も考えられる。
＜補足＞
なお、本発明は上述の実施の形態に限定されないのはもちろんである。すなわち、
（１）上述の実施の形態では、光ディスクドライブ１０１に装着された光ディスク１に記録されている楽曲を記録対象としていたが、他のメディア、例えば、メモリーカードに記録されている楽曲を記録対象としてもよいし、インターネットを介して取得可能な楽曲を記録対象としてもよい。また、記録先の記録媒体は、装置内のハードディスク以外に、可搬性のある光ディスク、メモリーカード、ＭＤ（MiniDisc)、フレキシブルディスク等であってもよい。
（２）上述の実施の形態では、記録対象を楽曲としていたが、写真、動画、音声映像を含む番組、ゲーム等のコンテンツを記録対象としてもよい。映像を含むコンテンツの場合、画像データの圧縮方式やビットレート、フレームサイズ等を画質に係る情報として比較して、画質の良いものをハードディスクに残すようにすることが考えられる。
（３）上述の実施の形態では、ユーザが指定した楽曲や、指定した再生リストに対応付けられているグループに属する楽曲、ユーザが入力した文字情報を含む楽曲を記録対象の楽曲としていたが、これらの楽曲以外の楽曲を記録対象の楽曲としてもよい。すなわち、ユーザに指定等された楽曲を記録対象外としてもよい。
（４）上述の実施の形態で示したコンテンツ記録再生装置１００及び１００Ａの処理手順（図２、５、６、１０、１１、１３、１４、１５、１７、１８、２２に示した手順等）を、コンピュータ等に実行させるためのプログラムを、記録媒体に記録し又は各種通信路等を介して、流通させ頒布することもできる。このような記録媒体には、メモリーカード、光ディスク、フレキシブルディスク、ＲＯＭ等がある。流通、頒布されたコンピュータプログラムは、コンピュータ等にインストール等されることにより利用に供され、そのコンピュータ等は当該コンピュータプログラムを実行して、実施の形態で示したような各種処理を行うことができるようになる。
【産業上の利用可能性】
【００９７】
本発明は、パソコン、携帯端末、ＤＶＤレコーダ等、楽曲や映像等のコンテンツを取得して記録することが可能な電子機器に適用することができる。
【図面の簡単な説明】
【００９８】
【図１】コンテンツ再生記録装置の機能構成を示す図である。
【図２】重複記録防止処理を説明するために用いるフローチャート図である。
【図３】光ディスク１及びハードディスクに記録されている楽曲の属性情報の一部を示した一覧である。
【図４】音質比較表である。
【図５】コンテンツ重複記録防止処理の変形例１を説明するために用いるフローチャート図である。
【図６】変形例２に係るコンテンツ再生記録装置１００の動作を説明するために用いるフローチャート図である。
【図７】スピーカ付ディスプレイ装置２に表示させたＧＵＩ画面の一例を示す図である。
【図８】光ディスク１及びハードディスクに記録されている楽曲の属性情報の一部を示した一覧である。
【図９】再生リストの一例を示す図である。
【図１０】変形例３に係るコンテンツ再生記録装置１００の動作を説明するために用いるフローチャート図である。
【図１１】変形例４に係るコンテンツ再生記録装置１００の動作を説明するために用いるフローチャート図である。
【図１２】変形例５のコンテンツ再生記録装置の構成を示す図である。
【図１３】変形例５に係るコンテンツ再生記録装置１００Ａの動作を説明するために用いるフローチャート図である。
【図１４】変形例６に係るコンテンツ再生記録装置１００Ａの動作を説明するために用いるフローチャート図である。
【図１５】変形例７に係るコンテンツ再生記録装置１００の動作を説明するために用いるフローチャート図である。
【図１６】光ディスク１及びハードディスクに記録されている楽曲の属性情報の一覧の一部を示す図である。
【図１７】変形例８に係るコンテンツ再生記録装置１００の動作を説明するために用いるフローチャート図である。
【図１８】変形例９に係るコンテンツ再生記録装置１００の動作を説明するために用いるフローチャート図である。
【図１９】光ディスク１及びハードディスクに記録されている楽曲の属性情報の一覧の一部を示す図である。
【図２０】光ディスク１及びハードディスクに記録されている楽曲の属性情報の一覧の一部を示す図である。
【図２１】光ディスク１からハードディスクに新たに楽曲を記録した後の楽曲の属性情報の一覧の一部を示す図である。
【図２２】変形例１１に係るコンテンツ再生記録装置１００の動作を説明するために用いるフローチャート図である。
【図２３】フィルタ情報の一例を示す図である。
【図２４】光ディスク１に記録されている楽曲の属性情報の一覧の一部と、各フィルタを適用してそれぞれ抽出された楽曲の属性情報の一覧を示す図である。
【符号の説明】
【００９９】
１        光ディスク
２        スピーカ付ディスプレイ装置
３        リーダライタ
４        メモリーカード
１００、１００Ａ  コンテンツ記録装置
１０１    光ディスクドライブ
１０２    制御部
１０３    操作部
１０４    再生記録部
１０５    ＨＤＤ
１０６    出力部
１０７    ＵＳＢ端子
【図１】
2006185575.tif 000003
【図２】
2006185575.tif 000004
【図３】
2006185575.tif 000005
【図４】
2006185575.tif 000006
【図５】
2006185575.tif 000007
【図６】
2006185575.tif 000008
【図７】
2006185575.tif 000009
【図８】
2006185575.tif 000010
【図９】
2006185575.tif 000011
【図１０】
2006185575.tif 000012
【図１１】
2006185575.tif 000013
【図１２】
2006185575.tif 000014
【図１３】
2006185575.tif 000015
【図１４】
2006185575.tif 000016
【図１５】
2006185575.tif 000017
【図１６】
2006185575.tif 000018
【図１７】
2006185575.tif 000019
【図１８】
2006185575.tif 000020
【図１９】
2006185575.tif 000021
【図２０】
2006185575.tif 000022
【図２１】
2006185575.tif 000023
【図２２】
2006185575.tif 000024
【図２３】
2006185575.tif 000025
【図２４】
2006185575.tif 000026